(57)【要約】【課題】食事と減量との相関関係を明瞭にし、短期的にも長期的にも、減量プログラムの効果を分かりやすく整理し、カウンセラーの指導を支援する。【解決手段】  一日のうちの、少なくとも食事前と食事後と就寝前と起床後の体重測定値３１の変化が区別できる精度で、体重測定値３１の入力を受け付けて、記憶装置３０に記憶させる。受付手段２１の受け付けた体重測定値３１の時間変化を、予め設定された日数分以上時間軸上でグラフ化をした画像データを生成する。グラフ中の時間軸上の管理期間３３の選択を受け付け、その管理期間３３の開始日と終了日の対応するタイミングの体重測定値３１の選択を受け付けて、グラフ上で直線で結ぶ。その達成経過表示線３６を描画した画像データを生成して印刷出力する。【選択図】図１
2009289096.tif 000002
【特許請求の範囲】
【請求項１】
一日のうちの、少なくとも食事前と食事後と就寝前と起床後の体重測定値の変化が区別できる精度で、体重測定値の入力を受け付けて、記憶装置に記憶させる受付手段と、
前記受付手段の受け付けた体重測定値を前記記憶装置から読み出して、体重測定値の時間変化を、予め設定された日数分以上時間軸上でグラフ化をした画像データを生成するグラフ生成手段と、
前記グラフ中の前記時間軸上の管理期間の選択を受け付ける手段と、その管理期間の開始日と終了日の対応するタイミングの体重測定値の選択を受け付ける手段と、選択した体重測定値間を、前記グラフ上で直線で結び、達成経過表示線を描画した画像データを生成する解析手段と、
前記解析手段が生成した画像データを印刷出力する出力手段とを備えたことを特徴とする体重管理コンピュータシステム。
【請求項２】
請求項１に記載の体重管理コンピュータシステムにおいて、
前記解析手段は、前記グラフ中から、複数の管理期間の選択を受け付ける手段と、
それぞれの管理期間について、前記達成経過表示線を描画する手段とを含むことを特徴とする体重管理コンピュータシステム。
【請求項３】
請求項１または２に記載の体重管理コンピュータシステムにおいて、
体重測定値の入力を受け付けるための複数の管理期間を事前に設定して、順次体重測定値の入力を受け付けて、記憶装置に記憶させる受付手段と、
前記各管理期間中に、プッシュメールの送信期日を設定するスケジューリング手段と、
前記管理期間毎に、それぞれ固有の内容が指定されたプッシュメールのテンプレートを記憶する記憶装置と、
前記設定された送信期日毎に、前記管理期間毎に指定されたテンプレートに記入する所定のデータの入力を受け付けてプッシュメールを生成するメール生成手段と、
生成された前記プッシュメールを該当する宛先に自動的に送信するメール送信手段とを備えたことを特徴とする体重管理コンピュータシステム。
【請求項４】
請求項１乃至３のいずれかに記載の体重管理コンピュータシステムにおいて、
事前に設定された複数の管理期間について、その管理期間毎に、それぞれ異なるプッシュメール送信間隔を設定し、前段の管理期間ほどプッシュメールの送信間隔が短くなるように、送信期日が設定されていることを特徴とする体重管理コンピュータシステム。
【請求項５】
請求項１乃至３のいずれかに記載の体重管理コンピュータシステムにおいて、
一日のうちの、少なくとも食事前と食事後と就寝前と起床後の体重測定値の変化が区別できる精度で、体重測定値を管理期間分手書き入力できる自己管理シートを印刷して発行する手段を備えることを特徴とする体重管理コンピュータシステム。
【請求項６】
コンピュータを、
一日のうちの、少なくとも食事前と食事後と就寝前と起床後の体重測定値の変化が区別できる精度で、体重測定値の入力を受け付けて、記憶装置に記憶させる受付手段と、
前記受付手段の受け付けた体重測定値を前記記憶装置から読み出して、体重測定値の時間変化を、予め設定された日数分以上時間軸上でグラフ化をした画像データを生成するグラフ生成手段と、
前記グラフ中の前記時間軸上の管理期間の選択を受け付ける手段と、その管理期間の開始日と終了日の対応するタイミングの体重測定値の選択を受け付ける手段と、選択した体重測定値間を、前記グラフ上で直線で結び、達成経過表示線を描画した画像データを生成する解析手段と、
前記解析手段が生成した画像データを印刷出力する出力手段、
として機能させる体重管理プログラム。
【請求項７】
コンピュータを、
一日のうちの、少なくとも食事前と食事後と就寝前と起床後の体重測定値の変化が区別できる精度で、体重測定値の入力を受け付けて、記憶装置に記憶させる受付手段と、
前記受付手段の受け付けた体重測定値を前記記憶装置から読み出して、体重測定値の時間変化を、予め設定された日数分以上時間軸上でグラフ化をした画像データを生成するグラフ生成手段と、
前記グラフ中の前記時間軸上の管理期間の選択を受け付ける手段と、その管理期間の開始日と終了日の対応するタイミングの体重測定値の選択を受け付ける手段と、選択した体重測定値間を、前記グラフ上で直線で結び、達成経過表示線を描画した画像データを生成する解析手段と、
前記解析手段が生成した画像データを印刷出力する出力手段、
として機能させる体重管理プログラムを記録したコンピュータで読み取り可能な記録媒体。
【発明の詳細な説明】
【技術分野】
【０００１】
本発明は、個人の体重を目標値に到達させたり維持するための指導を行うカウンセラーの、業務支援に利用される体重管理コンピュータシステムと体重管理プログラムと記録媒体に関する。
【背景技術】
【０００２】
それぞれ個人の最適体重には個人差がある。また、自己の最適体重を維持できない人も少なくない。肥満を解消するためにダイエットを試みる人が増加している。このダイエットの自己管理は容易でなく、後戻りするリバウンドが問題になっている。そこで、コンピュータにより体重管理をしてカウンセリングをするシステムも開発されている（特許文献１参照）。
【特許文献１】特開２００７−３０４８２４公報
【発明の開示】
【発明が解決しようとする課題】
【０００３】
上記の特許文献のように、体重データを一定の基準で画一的に記録して出力するシステムによれば、客観的なデータが出力される。専門家のアドバイスがあれば、体重管理の対象者は的確な方針を立てることができる。しかし、体重管理には意識改革が重要である。また、体重と生活習慣との相関関係はきわめて密接であるが、それを理解しなければ十分な効果が得られないしリバウンドが避けられない。本人が体重データの記録を見て改善の効果を実感しなければ、体重管理を続ける意欲が減退する。例えば、短期間で急激に体重を減らすようにすると、その効果は良く認識できるが相当の無理が伴う。一方、長期計画でゆっくりと減量プログラムを実行すると、その効果が分かりにくくて意欲をそぐ結果になることもある。また、体重管理の対象者に対して的確な指導ができるカウンセラーを育てるのは容易でない。
上記の課題を解決するために、本発明は、以下の目的を達成するような、体重管理コンピュータシステムと体重管理プログラムと記録媒体を提供する。
（１）食事と減量との相関関係を明瞭にし、短期的にも長期的にも減量プログラムの効果を分かりやすく整理してそのデータを出力する。
（２）カウンセラーの指導の下に、体重管理対象者に的確に成果を認識させる。
（３）体重管理対象者に対して、カウンセラーから、時期に応じた適切なプッシュメールを送信できるように制御する。
（４）ネットワークを利用して、最も効果的なタイミングで、対象者に各種のメッセージを送信するように、カウンセラーの業務を支援する。
【課題を解決するための手段】
【０００４】
以下の構成はそれぞれ上記の課題を解決するための手段である。
〈構成１〉
一日のうちの、少なくとも食事前と食事後と就寝前と起床後の体重測定値の変化が区別できる精度で、体重測定値の入力を受け付けて、記憶装置に記憶させる受付手段と、上記受付手段の受け付けた体重測定値を上記記憶装置から読み出して、体重測定値の時間変化を、予め設定された日数分以上時間軸上でグラフ化をした画像データを生成するグラフ生成手段と、上記グラフ中の上記時間軸上の管理期間の選択を受け付ける手段と、その管理期間の開始日と終了日の対応するタイミングの体重測定値の選択を受け付ける手段と、選択した体重測定値間を、上記グラフ上で直線で結び、達成経過表示線を描画した画像データを生成する解析手段と、上記解析手段が生成した画像データを印刷出力する出力手段とを備えたことを特徴とする体重管理コンピュータシステム。
【０００５】
食事前と食事後と就寝前と起床後の体重測定値の変化が区別できる精度で、体重測定値をグラフ化して印刷出力する。就寝時間を適切にとる生活習慣を促進でき、食行動の改善を促す効果がある。また、カウンセラー等が、食行動や生活習慣を改善した成果を確認できる最適期間を選択して、達成経過表示線を描画できる。自動的に達成度をグラフ化したのでは、成果が薄まってしまう。成果が顕著な期間を選択して因果関係を説明できると、効果的なカウンセリングができる。グラフ中の時間軸上の管理期間を任意に選択できるインタフェースは、きわめて有効に機能し、カウンセラーの意思を反映した達成経過表示線を描画できる。
【０００６】
〈構成２〉
構成１に記載の体重管理コンピュータシステムにおいて、上記解析手段は、上記グラフ中から、複数の管理期間の選択を受け付ける手段と、それぞれの管理期間について、上記達成経過表示線を描画する手段とを含むことを特徴とする体重管理コンピュータシステム。
【０００７】
成果を認識し易い期間と、成果が現れない期間とを区別して、全体としてみると進展が無いようでも、成果のあがった期間もあるという認識を与えられる効果がある。
【０００８】
〈構成３〉
構成１または２に記載の体重管理コンピュータシステムにおいて、体重測定値の入力を受け付けるための複数の管理期間を事前に設定して、順次体重測定値の入力を受け付けて、記憶装置に記憶させる受付手段と、上記各管理期間中に、プッシュメールの送信期日を設定するスケジューリング手段と、上記管理期間毎に、それぞれ固有の内容が指定されたプッシュメールのテンプレートを記憶する記憶装置と、上記設定された送信期日毎に、上記管理期間毎に指定されたテンプレートに記入する所定のデータの入力を受け付けてプッシュメールを生成するメール生成手段と、生成された上記プッシュメールを該当する宛先に自動的に送信するメール送信手段とを備えたことを特徴とする体重管理コンピュータシステム。
【０００９】
体重管理による一定の成果を得るまでに、継続的な改善努力を促すことができるようにプッシュメールを送信する。カウンセラーによる適切なタイミングでの、適切な内容のプッシュメール送信を支援する。カウンセラーによる取り扱いのばらつきを防止する。
【００１０】
〈構成４〉
構成１乃至３のいずれかに記載の体重管理コンピュータシステムにおいて、事前に設定された複数の管理期間について、その管理期間毎に、それぞれ異なるプッシュメール送信間隔を設定し、前段の管理期間ほどプッシュメールの送信間隔が短くなるように、送信期日が設定されていることを特徴とする体重管理コンピュータシステム。
【００１１】
体重管理開始直後は、比較的高頻度でプッシュメールを送信する。自主管理に慣れてくると、プッシュメールの間隔を自動的に長くする。こうして、コンピュータ管理により自動的に最適なカウンセリングが可能になる。
【００１２】
〈構成５〉
構成１乃至３のいずれかに記載の体重管理コンピュータシステムにおいて、一日のうちの、少なくとも食事前と食事後と就寝前と起床後の体重測定値の変化が区別できる精度で、体重測定値を管理期間分手書き入力できる自己管理シートを印刷して発行する手段を備えることを特徴とする体重管理コンピュータシステム。
【００１３】
体重測定値を手書き入力する自己管理シートを所持することにより、自らデータを読み返して記入し、意識を明確にする効果がある。
【００１４】
〈構成６〉
コンピュータを、一日のうちの、少なくとも食事前と食事後と就寝前と起床後の体重測定値の変化が区別できる精度で、体重測定値の入力を受け付けて、記憶装置に記憶させる受付手段と、上記受付手段の受け付けた体重測定値を上記記憶装置から読み出して、体重測定値の時間変化を、予め設定された日数分以上時間軸上でグラフ化をした画像データを生成するグラフ生成手段と、上記グラフ中の上記時間軸上の管理期間の選択を受け付ける手段と、その管理期間の開始日と終了日の対応するタイミングの体重測定値の選択を受け付ける手段と、選択した体重測定値間を、上記グラフ上で直線で結び、達成経過表示線を描画した画像データを生成する解析手段と、上記解析手段が生成した画像データを印刷出力する出力手段、として機能させる体重管理プログラム。
【００１５】
〈構成７〉
コンピュータを、一日のうちの、少なくとも食事前と食事後と就寝前と起床後の体重測定値の変化が区別できる精度で、体重測定値の入力を受け付けて、記憶装置に記憶させる受付手段と、上記受付手段の受け付けた体重測定値を上記記憶装置から読み出して、体重測定値の時間変化を、予め設定された日数分以上時間軸上でグラフ化をした画像データを生成するグラフ生成手段と、上記グラフ中の上記時間軸上の管理期間の選択を受け付ける手段と、その管理期間の開始日と終了日の対応するタイミングの体重測定値の選択を受け付ける手段と、選択した体重測定値間を、上記グラフ上で直線で結び、達成経過表示線を描画した画像データを生成する解析手段と、上記解析手段が生成した画像データを印刷出力する出力手段、として機能させる体重管理プログラムを記録したコンピュータで読み取り可能な記録媒体。
【発明を実施するための最良の形態】
【００１６】
本発明のシステムは、体重管理の対象者に対して、カウンセラーが適切な指導をすることができるように、データ分析をしてその結果を出力する。その指導では、体重の変化と食事量の関係を重視する。食事の前後で体重は大きく変化する。この体重の変化は食事量そのものである。それを認識させれば、食行動の改善を促す効果がある。また、就寝直前と起床直後でも体重測定値が大きく異なる。就寝中にエネルギが消費されて体重が減少する。それを認識させれば、就寝時間を適切にとる生活習慣を促進できる。
【００１７】
従って、食事前と食事後と就寝前と起床後の体重測定値の変化が区別できる精度で、体重測定値をグラフ化して印刷出力する。また、食行動や生活習慣を改善したことにより体重に変化が現れたかどうかを確認するのに、予め設定された日数分のグラフを出力する。成果を確認できる最適期間を選択して、カウンセラー、即ち、専門家が、体重の達成経過表示線を引くことができるように、カウンセラーを支援する。さらに、食行動の改善努力を促すためのプッシュメールを自動的に作成したり、適切なタイミングで送信するようにスケジュール管理をする。以下、本発明の実施の形態を実施例毎に詳細に説明する。
【実施例１】
【００１８】
［システム構成］
図１は実施例１の体重管理コンピュータシステムを示すブロック図である。
図１と図２を用いて、体重管理コンピュータシステム１０のシステム構成例を説明する。その後に、実際の演算処理例を順に説明する。図１に示した体重管理コンピュータシステム１０は、体重管理を指導するカウンセラーの操作するコンピュータ１１等により実現する。コンピュータ１１は、ネットワーク１５に接続されている。ネットワーク１５には、コンピュータ１１のほかに、体重管理の対象者が利用する端末装置１６が接続されている。端末装置１６は主としてプッシュメールの送受信に利用される。コンピュータ１１は、演算処理装置２０と記憶装置３０を備える。コンピュータ１１は、体重管理コンピュータプログラムを実行することにより、所定のタイミングで、演算処理装置２０の部分に列挙した手段による演算処理を実行する。
【００１９】
コンピュータ１１は、体重管理プログラムの実行中に、記憶装置３０を使用して、予め記憶された必要なデータを読み取る。またあるいは、新たなデータを記憶装置３０に書き込んで記憶させる。体重測定値の時間変化をグラフ化したデータ等は、プリンタ１２により印刷出力される。コンピュータ１１は、ディスプレイ２、キーボード４、マウス５といったマンマシンインタフェース用ハードウエアを備えている。ディスプレイ２はコンピュータで処理をした結果を出力するための任意の構成の表示出力装置である。ディスプレイ２として、ブラウン管ディスプレイ、液晶ディスプレイ、プロジェクタ等が利用できる。キーボード４やマウス５は、コンピュータに体重管理対象者から通知された体重測定値等を入力するためのインタフェースとして機能する。
【００２０】
演算処理装置２０には、図のように、受付手段２１、グラフ生成手段２２、解析手段２３、スケジューリング手段２４、メール送信手段２５等のコンピュータプログラムがインストールされている。これらのコンピュータプログラムが連携して所定の演算処理を実行する。記憶装置３０には、図のように、体重測定値３１、グラフ作成ウインドウ３２、管理期間３３、成果分析データ３４、成果グラフ３５、達成経過表示線３６、プッシュメール３７、テンプレート３８、自己管理シート３９、スケジュールデータ４０等のデータが記憶される。
【００２１】
図２は、コンピュータ１１のハードウエアブロック図である。
図の回路は、コンピュータ１１の本体制御部３に格納されている。コンピュータ１１の内部バス１１０には、ＣＰＵ（中央処理装置）１１１と、ＲＯＭ（リードオンリメモリ）１１２と、ＲＡＭ（ランダムアクセスメモリ）１１３と、ＨＤＤ（ハードディスク）１１４と、入出力インタフェース１１５と、ネットワークインタフェース１１６とが接続されている。入出力インタフェース１１５には、ディスプレイ２とキーボード４とマウス５とプリンタ１２が接続されている。ネットワークインタフェース１１６は、ネットワーク１５に接続されている。以上のハードウェアは一般的によく知られたパーソナルコンピュータ等に備えられているものと変わらない。
【００２２】
図１に示した記憶装置３０は、ＲＯＭ１１２やＲＡＭ１１３やＨＤＤ１１４により構成される。図１に示した演算処理装置２０は、ＣＰＵ１１１、ＲＯＭ１１２、ＲＡＭ１１３等により構成される。図１の記憶装置３０に示した大部分のデータは、主としてＨＤＤ１１４に記憶されて保存される。ＣＰＵ１１１が実行するコンピュータプログラムは、ＲＯＭ１１２に記憶され、あるいはＲＡＭ１１３に適時ロードされて実行される。
【００２３】
［演算処理］
次に、上記の演算処理装置２０における各手段の各機能を説明する。
演算処理装置２０に示した受付手段２１は、後で図３や図５を用いて説明するように、一日のうちの、少なくとも食事前と食事後と就寝前と起床後の体重測定値３１の変化が区別できる精度で、体重測定値３１の入力を受け付ける。受け付けた体重測定値３１は、記憶装置３０に記憶される。グラフ生成手段２２は、受付手段２１の受け付けた体重測定値３１を記憶装置３０から読み出す。読み出された体重測定値３１の時間変化を、予め設定された日数分以上時間軸上でグラフ化する。グラフ生成手段２２は、グラフ化をした画像データを、成果グラフ３５の基礎データとして記憶装置３０に記憶させる。成果グラフ３５の例は後で図５を用いて説明する。
【００２４】
解析手段２３は、グラフ中の時間軸上の管理期間３３の選択を受け付け、その管理期間３３の開始日と終了日の対応するタイミングの体重測定値３１の選択を受け付け、選択した体重測定値３１間を、グラフ上で直線で結び、達成経過表示線３６を描画した画像データを生成する機能を持つ。これは図６の操作画面を使用して実行される。その結果として、解析手段２３が生成した画像データは、プリンタ１２により印刷出力される。プリンタ１２やディスプレイ２が出力手段である。スケジューリング手段２４は、各管理期間３３中に、それぞれ用意されたプッシュメール３７の送信期日を設定する機能を持つ。解析手段２３が管理期間を選択すると自動的に送信期日が設定される。メール送信手段２５は、設定された送信期日毎に、管理期間毎に指定されたテンプレートに記入する所定のデータの入力を受け付けて、プッシュメール３７を生成し、該当する宛先に自動的に送信する機能を持つ。プッシュメール３７の内容やデータ入力用のウインドウは、図７等を用いて説明する。
【００２５】
［使用データ］
図３は、自己管理シート３９の説明図である。
図の自己管理シート３９には、体重管理の対象者が体重測定値３１の基礎データを記録する。体重管理の対象者自身が、数値を意識しながら手書きで記録をすることに意義がある。従って、プリンタ１２により印刷されて、体重管理の対象者に配布される。図のように、毎日、起きたとき、夕食前、寝る前というように最低３回、体重と体脂肪を測定して記録する。これで、就寝前と起床後の体重測定値の差が明確になる。また、食事（夕食）前と食事後の体重測定値の差も明確になる。食事（夕食）後と就寝前とは時間的にも接近しているので、この例では両者を１回の測定ですましている。
【００２６】
例えば、対象者が、体重測定直をパーソナルコンピュータ１１や携帯端末を用いて入力することも可能である。しかし、体重測定値３１をある期間分だけ手書き入力する自己管理シート３９を所持すれば、自らデータを読み返して記入することになる。これは、意識を明確にする効果がある。そこで、コンピュータに、体重測定値３１を管理期間分手書き入力できる自己管理シート３９を印刷出力する機能を持たせた。カウンセラーは、自己管理シート３９を回収して、コンピュータに体重測定値を入力する。受付手段２１は、例えば、自己管理シート３９に記入された文字を、文字認識等により読み取って、自動的にデータの入力を受け付けるものでもよい。
【００２７】
［グラフ］
図４はグラフ作成ウインドウ３２の一部を示す説明図である。
例えば、この例では、カウンセラーは、グラフ作成ウインドウ３２を操作して、自己管理シート３９に記入された体重測定値３１（図１）の入力処理を実行する。図の「体重」と「体脂肪率」と表示された入力欄４３に、順に、朝、夕、夜と、該当するデータを入力する。図４に示すグラフ作成ウインドウ３２の内容と、図５に示す成果グラフ３５の両方が、体重管理対象者に渡される。体重管理の対象者は、これを見て、食行動や生活習慣を改善したことにより体重に変化が現れたかどうかを確認する。なお、入力欄４３には、例えば、数ヶ月分の体重測定値が入力できる。
【００２８】
この期間を、この例では、自動的に６個の期間に区切っている。各期間をそれぞれセッション０〜セッション６と名付けることにする。この期間は、後で説明するように、プッシュメールの送信に利用される。成果分析データ３４は、セッション毎に、体重測定値の１日分の増加量平均値を算出して表示したデータである。成果分析データ３４のセッション０〜セッション６と表示したいずれかの欄をクリックすると、例えば、そのセッションの期間が「９／２２−１０／４」というようにポップアップウインドウ４４に表示される。そのポップアップウインドウ４４で、日付を変更すると、期間を自由に選択できる。
【００２９】
図５は、成果グラフ３５の例を示す説明図である。
図の縦軸は体重測定値である。図４の入力欄４３に「体重」を入力すると、この成果グラフ３５が自動的に生成される。成果グラフ３５は、コンピュータのディスプレイ２（図１）に表示することもできるし、プリンタ１２で印刷することもできる。図５の例では、約２月分の体重測定値の変化をグラフ化している。なお、図５では、煩雑化を避けるために、毎日、朝と夜の体重測定値のみをプロットした結果を示している。図６のほうには、朝と夕と夜の体重測定値を正確にプロットしたものを示した。
【００３０】
［達成経過表示線］
図６は、成果グラフ３５上に描画される達成経過表示線３６と管理期間３３の説明図である。
図の操作画面４５において、グラフの縦軸は体重、横軸は時間である。この画面上で仕切り線４７を左右に移動して、成果を確認できる最適な管理期間３３を選択できる。管理期間３３の両端に近い日の朝や夜の体重測定値を端点にして、達成経過表示線３６を描画する。図の例では、朝と夜の中間の体重測定値を端点にした。端点の選択方法は自由である。比較し易い対応する体重測定値３１を選択すればよい。他の期間も同様にする。ここでは３個の管理期間３３を設定した。３本の達成経過表示線３６により、体重管理の成果を数量的に且つ定性的に認識できる。
【００３１】
既知の方法では、予め指定された時刻に、毎日１回、体重測定をする。そして、１週間とか１月単位で比較評価する。しかし、体重は、１日のうちで、食事の前後とか運動の前後とか、時刻どおりでない変化をする。従って、管理期間３３の開始日と終了日の対応するタイミングの体重測定値を専門家が選択して端点を決めることが重要である。例えば、ボタン５１をクリックしてから始点を選択してマウスをクリックすると始点が決まる。次に、ボタン５２をクリックしてから終点を選択してマウスをクリックすると終点が決まる。その後、ボタン５３をクリックすると、達成経過表示線３６が描画される。
【００３２】
カウンセラーが、達成経過表示線３６の起点と終点を自由に選択することができるようにする。これが、このプログラムの最も重要な機能のひとつである。図の例では、期間Ａでは成果が明瞭に見られ、期間Ｂでは成果が停滞していることがわかる。その後期間Ｃで再び順調に成果が現れている。例えば、図の破線４８に示すように全期間を通して達成経過表示線を引いてしまうと、体重管理の対象者にとっては、その成果が見えにくく、気力を無くす。この達成経過表示線の描画範囲を、カウンセラーの経験と知識により適切に選択して、体重管理の対象者を後押しすることができる。このとき、管理期間を自由に区切って何度も達成経過表示線を引いてみて、最も適当と思われるものを出力することができる。即ち、成果を認識し易い期間と、成果が現れない期間とを区別して、全体としてみると進展が無いようでも、成果のあがった期間もあるという認識を与えられる効果がある。これはカウンセラーにとって、有力なツールになる。
【実施例２】
【００３３】
図７〜図９は、プッシュメールの例を示す説明図である。
図４のグラフ作成ウインドウ３２を使用して、受付手段２１（図１）は、体重測定値３１の入力を受け付けて、記憶装置３０に記憶させた。このとき、スケジューリング手段２４は、図４の成果分析データ３４に示すように、セッション１〜６の６個の管理期間３３を自動的に設定する。この期間は、図６を用いて説明した達成経過表示線３６を描画するための管理期間と一致していてもよいし、全く別でもよい。
【００３４】
体重管理による一定の成果を得るまでに、いくつかの管理期間３３を設けて、それぞれその時期に応じた管理をするとよい。そして、各管理期間毎に、成果の有無にかかわらず、継続的な改善努力を促すことができるようにプッシュメールを送信する。プッシュメールとは、カウンセラーから体重管理の対象者に送信される、アドバイス等を含むメールである。カウンセラーによる適切なタイミングでの、適切な内容のプッシュメール送信を支援するために、管理期間毎に固有の内容が指定されたプッシュメールのテンプレート３８（図１）を準備しておく。
【００３５】
図１に示したスケジュールデータ４０は、プッシュメール３７の送信期日を設定する。例えば、図７のプッシュメール３７は９月２２日から２日おきに送信すると規定する。そして、そのつど、記憶装置３０から、該当するプッシュメール３７のテンプレート３８を読み出す。例えば、図７に示すように、プッシュメール送信画面５５には、セッション１用のテンプレートが表示される。その中央には、カウンセラーによる追加コメント等の入力を受け付ける入力欄５６が設けられている。このように、スケジュールに従って、設定された送信期日毎にカウンセラーによる追加コメント等の入力を受付ける。追加コメントを入力すると、送信ボタン５７をクリックして送信する。他の管理期間のメールも同様にして生成する。図７〜図９に示すように、体重管理開始直後と、ある程度成果がでてきた期間と、しばらく停滞する期間とでは、テンプレートの内容が異なる。生成されたプッシュメール３７は、該当する宛先に自動的に送信される。これで、時期に応じた内容のプッシュメール３７が確実に送信される。従って、カウンセラーによる取り扱いのばらつきを防止し、最大の効果を期待できる。
【００３６】
上記の各管理期間３３では、それぞれ異なるプッシュメール送信間隔を設定する。例えば、前段の管理期間ほどプッシュメール３７の送信間隔が短くなるようにする。プッシュメール３７は、対象者が、カウンセラーからアドバイスを受けるためのものである。さらに、対象者が第３者の目を意識するので、背中を押される効果も期待できる。体重管理開始直後は、比較的高頻度でプッシュメール３７を送信する。自主管理に慣れてくると、プッシュメール３７の間隔を自動的に長くする。前段のセッションでは２日おきに、最終セッションでは週に１回という要領である。こうして、コンピュータ管理により自動的に最適なカウンセリングが可能になる。特に、一定の資格を持つカウンセラーが個々に自分の判断で担当する対象者にカウンセリングをするときに、こうした機能を持つコンピュータプログラムが有効に働く。即ち、このコンピュータプログラムは、カウンセラーの業務を均質化するために有効である。
【実施例３】
【００３７】
［コンピュータプログラム］
図１０と図１１は、上記のシステムのプログラム動作フローチャートである。
これらの図と図１を参照して、コンピュータプログラムの実施例を説明する。まず、予め、ステップＳ１１で、対象者の登録をする。対象者ごとに、体重測定値３１を取得して、成果分析データ３４等を生成できるように準備をする。ステップＳ１２では、対象者に配布するための自己管理シート３９を印刷する。この処理はプリンタ１２が、記憶装置３０に記憶されたデータを読みとって行う。ステップＳ１３では、対象者からファックス等により受信された体重測定値の入力受付をする。この処理は受付手段２１が制御する。
【００３８】
ステップＳ１４では、受付手段２１が受け付けた体重測定値３１を記憶装置３０に記憶する。次に、ステップＳ１５で、グラフ生成手段２２が体重測定値３１を記憶装置３０から読み出す。ステップＳ１６では、グラフ生成手段２２が、グラフ化した画像データを生成する。ステップＳ１７では、解析手段２３がグラフ作成ウインドウ３２を表示して、管理期間の選択を受付する。ステップＳ１８で、達成経過表示線３６の始点と終点になる体重測定値の選択を受付ける。ステップＳ１９で、「ライン」と表示したボタンが操作されると、達成経過表示線３６を描画する。ステップＳ２０では、解析結果として生成された画像データをプリンタ１２で印刷する。これは、体重管理対象者に郵送される。なお、図１に示したネットワーク１５を通じて対象者の端末装置１６にデータ送信してもよい。
【００３９】
図１１のフローチャートはプッシュメールの送信制御動作を示す。ステップＳ２１では、複数の管理期間（セッション）を、図４のように自動的に設定する。ステップＳ２２では、管理期間毎のメール送信間隔を自動的に設定する。予め、セッション毎に、送信間隔を決めておけばよい。ステップＳ２３では、管理期間の開始日とメール送信間隔とから、プッシュメール送信期日の設定をする。以上の処理をスケジューリング手段２４が実行する。ステップＳ２４では、メール送信手段２５が、送信期日にメールテンプレートを読み出す。そして、図７に示すように、ステップＳ２５で、メールテンプレートを表示する。ステップＳ２６では、追加メッセージデータの入力受付をする。ステップＳ２７では、メール送信手段２５がプッシュメールの自動送信をする。以上の処理により、体重管理対象者に最適のタイミングでプッシュメールが送信される。
【００４０】
図１２は、システムの運用モデル説明図である。
上記のシステムを利用すれば、図のように、まず、体重管理開始時に自己管理シートを印刷して体重管理対象者に送り、プッシュメールにより指導をしながら、１セッション終了ごとに記入済みシートを受け取る。プッシュメールに対して、そのつど、体重管理対象者の実行した行動報告等を返信で受け取る。記入済みシートについては、そのデータをコンピュータに入力して分析する。そして、管理期間を設定して成果グラフを作成し、達成経過表示線の描画をする。カウンセラーは試行を繰り返して得られた最適な成果分析データと成果グラフを、例えば、体重管理対象者が閲覧できるようにウェブサーバ等にアップロードする。こうしたコンピュータの支援を受けながら、ミーティングやカウンセリングにより、体重管理対象者の目的を達成する。なお、この体重管理システムは、減量だけでなく自己ベストの体重を維持管理する各種の目的に利用できる。
【００４１】
なお、上記の演算処理装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【図面の簡単な説明】
【００４２】
【図１】実施例１の体重管理コンピュータシステムを示すブロック図である。
【図２】コンピュータ１１のハードウエアブロック図である。
【図３】自己管理シート３９の説明図である。
【図４】グラフ作成ウインドウ３２の一部を示す説明図である。
【図５】成果グラフ３５の例を示す説明図である。
【図６】成果グラフ３５上に描画される達成経過表示線３６と管理期間３３の説明図である。
【図７】プッシュメールの例を示す説明図である。
【図８】プッシュメールの例を示す説明図である。
【図９】プッシュメールの例を示す説明図である。
【図１０】システムのプログラム動作フローチャートである。
【図１１】プッシュメールの送信制御動作を示すフローチャートである。
【図１２】システムの運用モデル説明図である。
【符号の説明】
【００４３】
１  ディスプレイ
２  本体制御部
３  キーボード
４  マウス
５  体重管理コンピュータシステム
６  コンピュータ
７  プリンタ
８  ネットワーク
９  端末装置
１０  演算処理装置
１１  受付手段
１２  グラフ生成手段
１３  解析手段
１４  スケジューリング手段
１５  メール送信手段
１６  記憶装置
１７  体重測定値
１８  グラフ作成ウインドウ
１９  管理期間
２０  成果分析データ
２１  成果グラフ
２２  達成経過表示線
２３  プッシュメール
２４  テンプレート
２５  自己管理シート
２６  スケジュールデータ
２７  入力欄
２８  ポップアップウインドウ
２９  操作画面
３０  仕切り線
３１  破線
３２  ボタン
３３  ボタン
３４  ボタン
３５  プッシュメール送信画面
３６  入力欄
３７  送信ボタン
１１０  内部バス
１１１  ＣＰＵ
１１２  ＲＯＭ
１１３  ＲＡＭ
１１４  ＨＤＤ
１１５  入出力インタフェース
１１６  ネットワークインタフェース
【図１】
2009289096.tif 000003
【図２】
2009289096.tif 000004
【図３】
2009289096.tif 000005
【図４】
2009289096.tif 000006
【図５】
2009289096.tif 000007
【図６】
2009289096.tif 000008
【図７】
2009289096.tif 000009
【図８】
2009289096.tif 000010
【図９】
2009289096.tif 000011
【図１０】
2009289096.tif 000012
【図１１】
2009289096.tif 000013
【図１２】
2009289096.tif 000014